(57)【特許請求の範囲】
【請求項１】
下部構造体の上に建物構造体を据付けて構築され、建物構造体が床パネルの上に壁パネルを立設して形成されてなる建物の接合構造において、
下部構造体から上方に突出する接続具を有し、
床パネルの側から延出して該床パネルの上方にまで延在する連結具を壁パネルに連結してなり、
連結具が備える下座金を床パネルの下端部の接合用枠材の下に添設するともに、下部構造体の上に載置し、下部構造体から突出する接続具が連結具の上記下座金及び接合用枠材を貫通し、該下座金及び接合用枠材に締結され、壁パネルが上枠、下枠及び縦枠からなる壁枠組を有し、該壁パネルの隣り合う一対の縦枠の間の下枠上に枠状金具が配設されてなり、
連結具の上端部が壁パネルの内部の上記枠状金具を貫通し、該枠状金具に締結されてなる建物の接合構造であって、
前記接続具が、更に前記接合用枠材の上に添設された補強座金を貫通し、下座金及び接合用枠材並びに補強座金に締結され、
補強座金の延長部が接合用枠材の上面において連結具が延出している部分の周辺に被着されてなるとともに、
前記補強座金には、該補強座金の上面から起立する板状の補強リブが設けられてなる建物の接合構造。
【請求項２】
前記連結具が、前記下座金の上面にナットを溶接されるとともに、このナットに連結ボルトを螺着されてなり、
上記連結ボルトの上端部が壁パネルの内部の前記枠状金具を貫通し、該枠状金具にセットしたナットに螺着されてなる請求項１に記載の建物の接合構造。
【請求項３】
前記連結具の下座金が、建物構造体における床パネルの下端部の接合用枠材に固定的に取付けられる請求項１又は２に記載の建物の接合構造。
【請求項４】
前記下部構造体が基礎であり、前記接続具が基礎に植設されたアンカーボルトである請求項１〜３のいずれかに記載の建物の接合構造。
【請求項５】
前記下部構造体が下階の建物構造体であり、前記接続具が下階の建物構造体に植設されたジョイントボルトである請求項１〜４のいずれかに記載の建物の接合構造。
【請求項６】
前記建物構造体が建物ユニットである請求項１〜５のいずれかに記載の建物の接合構造。
【請求項７】
請求項１〜６のいずれかに記載の建物の接合構造の施工方法であって、工場において前記壁パネルと床パネルとを接合して建物ユニットを製造した後、該建物ユニットを建設現場において下部構造体と接合することを特徴とする建物の接合構造の施工方法。
【発明の詳細な説明】
【技術分野】
【０００１】
本発明は建物の接合構造及びその施工方法に関する。
【背景技術】
【０００２】
従来のユニット建物等の建物では、建物ユニット等の建物構造体を基礎や下階建物構造体等の下部構造体の上に据付けて構築される。
【０００３】
従来のユニット建物は、特許文献１に記載の如く、工場において壁パネルと床パネルとを接合して建物ユニットを製造した後、該建物ユニットを建設現場において下部構造体と接合される。
【０００４】
そして、建物ユニットの製造工程では、床パネルの下端部の接合用枠材（土台又は頭つなぎ）の側から該床パネルの上方にまで延在する連結ボルトが、壁パネルの壁枠組内に配設された枠状金具のナットに螺着される。これにより、建物ユニットを構成する床パネルと壁パネルを隙間なく連結し、建物ユニットの高さ寸法精度の向上を図っている。
【０００５】
また、従来のユニット建物では、建物ユニットを基礎や下階建物ユニット等の下部構造体の上に据付けるとき、特許文献２に記載の如く、下部構造体から突出する接続ボルト（アンカーボルト又はジョイントボルト）を、建物ユニットにおける床パネルの下端部の接合用枠材に設けたボルト挿通孔に通してその上方へ突出し、この接続ボルトの突出端にナットを螺着している。これにより、建物ユニットの床パネルを下部構造体に締結し、建物ユニットの床パネルが下部構造体に対して上方向及び水平方向へ変位することの防止を図っている。
【先行技術文献】
【特許文献】
【０００６】
【特許文献１】特開平9-125525号公報
【特許文献２】特許3739245号公報
【発明の概要】
【発明が解決しようとする課題】
【０００７】
特許文献１に記載の建物ユニットを特許文献２に記載のユニット建物において採用するものとすれば、特許文献１に記載の連結ボルトによって建物ユニットを構成する床パネルと壁パネルを隙間なく連結することができ、特許文献２に記載の接続ボルトによって建物ユニットの床パネルが下部構造体に対して変位することを防止できる。
【０００８】
しかしながら、特許文献１に記載の建物ユニットを特許文献２に記載のユニット建物において採用したときには、下部構造体から突出して建物ユニットにおける床パネルに締結される接続ボルトと、建物ユニットにおける床パネルの側から延在して壁パネルに連結される連結ボルトとが、互いに直に連結されていない。このため、建物ユニットの壁パネルに作用する引抜き力は、当該建物ユニットの壁パネルから床パネルに上述の連結ボルトにより伝達されるものの、下部構造体に設けられている接続ボルトに対しては当該建物ユニットにおける床パネルの下端部の接合用枠材を介して間接的にのみ伝達されるものになり、下部構造体に対する建物全体の引抜き耐力の向上に限界がある。
【０００９】
本発明の課題は、建物ユニット等の建物構造体を構成する床パネルと壁パネルを隙間なく連結するとともに、建物構造体の床パネルが下部構造体に対して変位することを防止し、更に下部構造体に対する建物全体の引抜き耐力を向上することにある。
【課題を解決するための手段】
【００１０】
請求項１に係る発明は、下部構造体の上に建物構造体を据付けて構築され、建物構造体が床パネルの上に壁パネルを立設して形成されてなる建物の接合構造において、下部構造体から上方に突出する接続具を有し、床パネルの側から延出して該床パネルの上方にまで延在する連結具を壁パネルに連結してなり、連結具が備える下座金を床パネルの下端部の接合用枠材の下に添設するともに、下部構造体の上に載置し、下部構造体から突出する接続具が連結具の上記下座金及び接合用枠材を貫通し、該下座金及び接合用枠材に締結され、壁パネルが上枠、下枠及び縦枠からなる壁枠組を有し、該壁パネルの隣り合う一対の縦枠の間の下枠上に枠状金具が配設されてなり、連結具の上端部が壁パネルの内部の上記枠状金具を貫通し、該枠状金具に締結されてなる建物の接合構造であって、前記接続具が、更に前記接合用枠材の上に添設された補強座金を貫通し、下座金及び接合用枠材並びに補強座金に締結され、補強座金の延長部が接合用枠材の上面において連結具が延出している部分の周辺に被着されてなるとともに、前記補強座金には、該補強座金の上面から起立する板状の補強リブが設けられてなるようにしたものである。
【００１４】
請求項２に係る発明は、請求項１に係る発明において更に、前記連結具が、前記下座金の上面にナットを溶接されるとともに、このナットに連結ボルトを螺着されてなり、上記連結ボルトの上端部が壁パネルの内部の前記枠状金具を貫通し、該枠状金具にセットしたナットに螺着されてなるようにしたものである。
【００１５】
請求項３に係る発明は、請求項１又は２に係る発明において更に、前記連結具の下座金が、建物構造体における床パネルの下端部の接合用枠材に固定的に取付けられるようにしたものである。
【００１６】
請求項４に係る発明は、請求項１〜３のいずれかに係る発明において更に、前記下部構造体が基礎であり、前記接続具が基礎に植設されたアンカーボルトであるようにしたものである。
【００１７】
請求項５に係る発明は、請求項１〜４のいずれかに係る発明において更に、前記下部構造体が下階の建物構造体であり、前記接続具が下階の建物構造体に植設されたジョイントボルトであるようにしたものである。
【００１８】
請求項６に係る発明は、請求項１〜５のいずれかに係る発明において更に、前記建物構造体が建物ユニットであるようにしたものである。
【００１９】
請求項７に係る発明は、請求項１〜６のいずれかに記載の建物の接合構造の施工方法であって、工場において前記壁パネルと床パネルとを接合して建物ユニットを製造した後、該建物ユニットを建設現場において下部構造体と接合するようにしたものである。
【発明の効果】
【００２０】
（請求項１）
(a)連結具により、建物構造体を構成する床パネルと壁パネルを隙間なく連結し、建物構造体の高さ寸法精度を向上できる。
【００２１】
(b)下部構造体から上方に突出する接続具により、建物構造体の床パネルが下部構造体に対して上方向及び水平方向へ変位することを防止できる。
【００２２】
(c)連結具が下端部に備える下座金を建物構造体における床パネルの下端部の接合用枠材に添設するともに、下部構造体の上に載置し、下部構造体から突出する接続具が連結具の上記下座金及び床パネルの下端部の接合用枠材を貫通し、該下座金及び該接合用枠材に締結される。これにより、下部構造体から突出して建物構造体における床パネルの下端部の接合用枠材に締結される接続具と、建物構造体における床パネルの側から上方に延在して壁パネルに連結される連結具とが、該連結具の下端部に備えた下座金によって連結される。このため、建物構造体の壁パネルに作用する引抜き力は、当該建物構造体の壁パネルから上述の床パネルに連結具によって伝達された後、この連結具の下座金に連結されている接続具により、該接続具が設けられている下部構造体に確実に伝達される。従って、下部構造体に対する建物全体の引抜き耐力を向上することができる。
【００２３】
(d)接続具が、床パネルの下端部の接合用枠材の上に添設された補強座金を貫通し、下座金及び接合用枠材並びに補強座金に締結される。そして、補強座金の延長部が接合用枠材の上面において連結具が延出している部分の周辺に被着される。これにより、建物ユニットの壁パネルに作用した引き抜き力が連結具の下座金、及び接続具により下部構造体に伝達され、その引き抜き力に起因して接続具まわりに生ずるモーメントＭ（Ｍ＝連結具に働く引抜き力Ｐ×連結具と接続具の軸間距離Ｌ）が下座金及び接合用枠材に曲げ変形を生じさせようとするとき、接合用枠材の上に添設された状態でそれらの下座金及び接合用枠材に締結されている補強座金が上記モーメントＭに対抗してそれらの曲げ変形を上から押さえて抑制する。従って、下部構造体に対する建物全体の引抜き耐力を一層向上することができる。
【００２４】
(e)上述(d)の補強座金に、該補強座金の上面から起立する板状の補強リブが設けられる。補強リブが、上記モーメントＭに対抗する補強座金の曲げ剛性を高め、補強座金による下座金及び接合用枠材のための曲げ変形抑制能を強化するものになる。
【００２５】
(f)床パネルの下端部の接合用枠材の側から延在させた連結具の上端部が、壁パネルの壁枠組に配設した枠状金具に締結される。これにより、建物構造体を構成する床パネルと壁パネルを隙間なく連結できる。
【００２６】
（請求項２）
(g)連結具が下座金の上面にナットを溶接されるとともに、このナットに連結ボルトが螺着される。これにより、連結具を構成する連結ボルトの上端部を上述(f)の枠状金具に確実に締結できる。
【００２７】
（請求項３）
(h)連結具の下座金が、建物構造体における床パネルの下端部の接合用枠材に固定的に取付けられる。床パネルの下端部の接合用枠材の側から該床パネルの上方にまで延在する連結具を該床パネルにセットするに際し、裏返しにした床パネルにおける接合用枠材の上向き面に対して連結具の下座金を簡易に取付けて固定化でき、その後この床パネルの上に壁パネルを立設するために該床パネルを裏返しの状態から反転させて正立させたとき、連結具の下座金を床パネルの下端部の接合用枠材から落下させることなく固定的に維持できる。これにより、連結具の下座金が床パネルの下端部の接合用枠材に添設される建物構造体の組立作業性を向上できる。
【００２８】
（請求項４）
(i)下部構造体が基礎であり、接続具が基礎に植設されたアンカーボルトである建物において、該アンカーボルトが連結具の下座金及び床パネルの下端部の接合用枠材を貫通し、それらの下座金及び接合用枠材に締結される。
【００２９】
（請求項５）
(j)下部構造体が下階の建物構造体であり、接続具が下階の建物構造体に植設されたジョイントボルトである建物において、該ジョイントボルトが連結具の下座金及び上階の建物構造体における床パネルの下端部の接合用枠材を貫通し、それらの下座金及び接合用枠材に締結される。
【００３０】
（請求項６、７）
(k)建物構造体が建物ユニットからなるとき、ユニット建物において上述(a)〜(j)を実現できる。
【図面の簡単な説明】
【００３１】
【図１】図１は参考例１の建物の接合構造を示し、基礎の上に建物ユニットを据付けた構造を示す断面図である。
【図２】図２は図１のII-II線に沿う断面図である。
【図３】図３は下階建物ユニットの上に上階建物ユニットを据付けた構造を示す断面図である。
【図４】図４は図３のIV-IV線に沿う断面図である。
【図５】図５は連結具の施工過程に係り、（Ａ）は連結具を示す斜視図、（Ｂ）は床パネルへの連結具の取付方法を示す斜視図である。
【図６】図６は床パネルと壁パネルの連結方法を示す斜視図である。
【図７】図７は参考例２の建物の接合構造を示す断面図である。
【図８】図８は図７のVIII-VIII線に沿う断面図である。
【図９】図９は図７のIX-IX線に沿う断面図である。
【図１０】図１０は連結具と補強座金と座金を示す模式斜視図である。
【図１１】図１１は実施例１の建物の接合構造を示す断面図である。
【図１２】図１２は図１１のXII-XII線に沿う断面図である。
【図１３】図１３は図１１のXIII-XIII線に沿う断面図である。
【図１４】図１４は連結具と補強座金と座金を示す模式斜視図である。
【発明を実施するための形態】
【００３２】
（参考例１）（図１〜図６）
ユニット建物１００は、基礎１０（下部構造体）上に複数の建物ユニット３０のそれぞれを図１、図２に示す如くに据付けて構築され、更には下階建物ユニット３０Ａ（下部構造体）の上に上階建物ユニット３０Ｂを図３、図４に示す如くに据付けて構築される。
【００３３】
基礎１０は、図１に示す如く、長手方向複数位置に植設されたアンカーボルト１１（接続具）がその上面から上方に突出して設けられる。ユニット建物１００の外周に沿う基礎１０の上面には、硬質ゴム、合成樹脂、セラミック等からなる基礎スペーサ１２（基礎１０の上端部材）が連続状に設けられる。
【００３４】
建物ユニット３０（３０Ａ、３０Ｂ）は、木質系であり、図１〜図４に示す如く、床パネル４０の外縁部の上に壁パネル５０を立設して形成される。
【００３５】
床パネル４０は、木材からなる根太４１によって方形に組立てられた床枠組４２を有し、床枠組４２の上面に床面材４３を張設している。床枠組４２の下部周縁部には接合用枠材４４（下階建物ユニット３０Ａでは土台といい、上階建物ユニット３０Ｂでは頭つなぎという）が設けられている。即ち、床パネル４０の下端部には接合用枠材４４がある。尚、接合用枠材４４の下面で、後述する連結具６０の下座金６１が添設される部分には、下座金６１が納まる面積、深さのザグリ４５が形成されている。また、接合用枠材４４は前述のアンカーボルト１１が鉛直に挿通するボルト挿通孔４４Ｈを備える。また、接合用枠材４４、床面材４３は連結具６０の連結ボルト６２が鉛直に挿通するボルト挿通孔４４Ｋ、４３Ｋを備える。
【００３６】
壁パネル５０は、木材からなる上枠５１、下枠５２及び縦枠５３により形成される壁枠組５４を有している。この壁枠組５４は、上枠５１と下枠５２の間に複数の縦枠５３を配設して方形に組立てられ、その外面に壁面材５５を張設している。尚、壁パネル５０の下枠５２は後述する連結具６０の連結ボルト６２が鉛直に挿通するボルト挿通孔５２Ｋを備える。
【００３７】
以下、(A)建物ユニット３０（３０Ａ、３０Ｂ）の生産工場における床パネル４０と壁パネル５０の連結構造、(B)建築現場で基礎１０に対してなされる建物ユニット３０の連結構造、(C)建築現場で下階建物ユニット３０Ａに対してなされる上階建物ユニット３０Ｂの連結構造について説明する。これらの連結構造では、連結具６０が用いられる。連結具６０は、図５（Ａ）に示す如く、矩形板状の下座金６１を備えるとともに、連結ボルト６２の下端ねじ部６２Ａを下座金６１の上面の一端側に溶接された長ナット６３に螺着して備える。連結具６０は、下座金６１を下端部に備え、連結ボルト６２の上端ねじ部６２Ｂを下座金６１から上方に延出させて備える。下座金６１は、前述したアンカーボルト１１のためのボルト挿通孔６１Ｈを長ナット６３から離隔する他端側に備えるとともに、床パネル４０の下端部の接合用枠材４４（土台又は頭つなぎ）に螺着される止ねじ６４のためのねじ孔６１Ｊを４隅に備える。
【００３８】
(A)建物ユニット３０（３０Ａ、３０Ｂ）の床パネル４０と壁パネル５０の連結構造（図５、図６）
建物ユニット３０（３０Ａ、３０Ｂ）における壁パネル５０の壁枠組５４内で、隣り合う一対の縦枠５３、５３はスペーサ５３Ｓにより一定の間隔を介しており、この間隔の下枠５２上に枠状金具７０を配設している。枠状金具７０は、図１〜図４に示す如く、方形枠状に形成され、その下部内面にナット７１がセット可能にされ、下部にはナット７１と軸芯を一致するものとなるボルト挿通孔７０Ｈが形成されている。枠状金具７０は、一対の縦枠５３、５３に挿通したピン７２が刺通されて保持される。枠状金具７０のナット７１には床パネル４０の側に組込まれる連結具６０の連結ボルト６２における上端ねじ部６２Ｂが螺合することにより、床パネル４０と壁パネル５０が連結される。
【００３９】
床パネル４０には連結具６０が以下の如くにして組込まれる。床パネル４０を接合用枠材４４の下面が上向き面となるように図５（Ｂ）に示す如くに裏返しにし、接合用枠材４４、床面材４３に備えたボルト挿通孔４４Ｋ、４３Ｋに連結具６０の連結ボルト６２が挿通される。更に、連結具６０の下座金６１に備えたボルト挿通孔６１Ｈを接合用枠材４４に備えたボルト挿通孔４４Ｈに位置合わせしつつ、下座金６１を接合用枠材４４の下面のザグリ４５に納める状態で、下座金６１の４隅のねじ孔６１Ｊに挿通される止ねじ６４で該下座金６１を接合用枠材４４に固定的に取付ける。連結ボルト６２の上端ねじ部６２Ｂは床パネル４０の床面材４３に備えたボルト挿通孔４３Ｋを貫通して外方に突出するものになる（図６）。
【００４０】
床パネル４０における床面材４３の外縁部に壁パネル５０の下枠５２を図６に示す如くにセットする。このとき、床面材４３から上方に突出している連結ボルト６２の上端ねじ部６２Ｂが、壁パネル５０内の下枠５２上に配設済の枠状金具７０の下部のボルト挿通孔７０Ｈに挿入される。枠状金具７０のボルト挿通孔７０Ｈに挿入された連結ボルト６２の上端ねじ部６２Ｂまわりに矩形状の平座金７１Ａがセットされ、マグネット付ソケットにセットしたナット７１が連結ボルト６２の上端ねじ部６２Ｂに螺着される。これにより、建物ユニット３０における床パネル４０の下端部の接合用枠材４４の側から該床パネル４０における床面材４３の上方にまで延在する連結具６０における連結ボルト６２の上端ねじ部６２Ｂが、壁パネル５０の内部の枠状金具７０を貫通し、該枠状金具７０にセットしたナット７１に螺着され、床パネル４０と壁パネル５０が連結されるものになる。
【００４１】
(B)基礎１０に対する建物ユニット３０の連結構造(図１、図２)
前述（A）により形成された建物ユニット３０が基礎１０の上面に設けた基礎スペーサ１２の上に据付けられる。即ち、建物ユニット３０における床パネル４０に前述の如くに組込まれている連結具６０が下端部に備える下座金６１は、図１、図２に示す如く、該床パネル４０の下端部の接合用枠材４４に形成したザグリ４５に納められて該接合用枠材４４に添設している状態で、基礎１０の基礎スペーサ１２（上端部材）の上に載置される。
【００４２】
このとき、基礎１０の基礎スペーサ１２を通って上方に突出しているアンカーボルト１１は、連結具６０の下座金６１が備えるボルト挿通孔６１Ｈ、及び床パネル４０における接合用枠材４４が備えるボルト挿通孔４４Ｈを貫通し、その貫通端まわりに座金１３がセットされ、ナット１４がその貫通端に螺着される。これにより、アンカーボルト１１が連結具６０の下座金６１及び床パネル４０の下端部の接合用枠材４４に締結されるものになる。
【００４３】
また、床パネル４０において、接合用枠材４４のボルト挿通孔４４Ｈを貫通して上方に突出したアンカーボルト１１の周辺に位置する根太４１の下端面側には、接合用枠材４４の上面に臨んでアンカーボルト１１、座金１３、ナット１４を受容可能にする窓状開口４１Ａが形成されている。
【００４４】
尚、座金１３はアンカーボルト１１が貫通する貫通孔の周囲の複数位置に筒状突起１３Ａを備え、アンカーボルト１１に螺着されるナット４４によりこの突起１３Ａを接合用枠材４４の上面に押付けて食い込ませ、建物ユニット３０が基礎１０に対して水平方向に変位するのを防止する。
【００４５】
(C)下階建物ユニット３０Ａに対する上階建物ユニット３０Ｂの連結構造（図３、図４）
前述(A)により形成された上階建物ユニット３０Ｂが下階建物ユニット３０の上に据付けられる。上階建物ユニット３０Ｂにおける床パネル４０に前述の如くに組込まれている連結具６０が下端部に備える下座金６１は、図３、図４に示す如く、該床パネル４０の下端部の接合用枠材４４に形成したザグリ４５に納められて該接合用枠材４４に添設している状態で、下階建物ユニット３０Ａの壁パネル５０における上枠５１の上面に設けた壁上スペーサ５６（上端部材）の上に据付けられる。
【００４６】
尚、下階建物ユニット３０Ａの壁パネル５０における上枠５１の長手方向複数位置には、ジョイントボルト５７（接続具）がその上面から上方に突出するように植設されている。ジョイントボルト５７は両端ねじ切りボルトであって長手方向中間部につば部５７Ａを備え、つば部５７Ａの下半部を下階建物ユニット３０Ａの壁パネル５０の上枠５１に通してこれを座金５７Ｂ、ナット５７Ｃで該上枠５１に予め固定してある。
【００４７】
このとき、壁パネル５０の壁上スペーサ５６を通って上方に突出しているジョイントボルト５７は、連結具６０の下座金６１が備えるボルト挿通孔６１Ｈ、及び床パネル４０における接合用枠材４４が備えるボルト挿通孔４４Ｈを貫通し、その貫通端まわりに座金５８がセットされ、ナット５９がその貫通端に螺着される。これにより、ジョイントボルト５７が連結具６０の下座金６１及び床パネル４０の下端部の接合用枠材４４に締結されるものになる。
【００４８】
また、床パネル４０において、接合用枠材４４のボルト挿通孔４４Ｈを貫通して上方に突出したアンカーボルト１１の周辺に位置する根太４１の下端面側には、接合用枠材４４の上面に臨んでジョイントボルト５７、座金５８、ナット５９を受容可能にする窓状開口４１Ｂが形成されている。
【００４９】
尚、座金５８はジョイントボルト５７が貫通する貫通孔の周囲の複数位置に筒状突起５８Ａを備え、ジョイントボルト５７に螺着されるナット５９によりこの突起５８Ａを接合用枠材４４の上面に押付けて食い込ませ、上階建物ユニット３０Ｂが下階建物ユニット３０Ａに対して水平方向に変位するのを防止する。
【００５０】
本参考例によれば以下の作用効果を奏する。
(a)連結具６０により、建物ユニット３０を構成する床パネル４０と壁パネル５０を隙間なく連結し、建物ユニット３０の高さ寸法精度を向上できる。
【００５１】
(b)下部構造体（基礎１０又は下階建物ユニット３０Ａ）から上方に突出する接続具（アンカーボルト１１又はジョイントボルト５７）により、建物ユニット３０の床パネル４０が下部構造体（基礎１０又は下階建物ユニット３０Ａ）に対して上方向及び水平方向へ変位することを防止できる。
【００５２】
(c)連結具６０が下端部に備える下座金６１を建物ユニット３０における床パネル４０の下端部の接合用枠材４４に添設するともに、下部構造体（基礎１０又は下階建物ユニット３０Ａ）の上端部材（基礎スペーサ１２又は壁上スペーサ５６）の上に載置し、下部構造体（基礎１０又は下階建物ユニット３０Ａ）から突出する接続具（アンカーボルト１１又はジョイントボルト５７）が連結具６０の上記下座金６１及び床パネル４０の下端部の接合用枠材４４を貫通し、該下座金６１及び該接合用枠材４４に締結される。これにより、下部構造体（基礎１０又は下階建物ユニット３０Ａ）から突出して建物ユニット３０における床パネル４０の下端部の接合用枠材４４に締結される接続具（アンカーボルト１１又はジョイントボルト５７）と、建物ユニット３０における床パネル４０の側から上方に延在して壁パネル５０に連結される連結具６０とが、該連結具６０の下端部に備えた下座金６１によって直に連結される。このため、建物ユニット３０の壁パネル５０に作用する引抜き力は、当該建物ユニット３０の壁パネル５０から上述の床パネル４０に連結具６０によって伝達された後、この連結具６０の下座金６１に直に連結されている接続具（アンカーボルト１１又はジョイントボルト５７）により、該接続具（アンカーボルト１１又はジョイントボルト５７）が設けられている下部構造体（基礎１０又は下階建物ユニット３０Ａ）に確実に伝達される。従って、下部構造体（基礎１０又は下階建物ユニット３０Ａ）に対するユニット建物１００の全体の引抜き耐力を向上することができる。
【００５３】
(d)床パネル４０の下端部の接合用枠材４４の側から延在させた連結具６０の上端部が、壁パネル５０の壁枠組５４に配設した枠状金具７０に締結される。これにより、建物ユニット３０を構成する床パネル４０と壁パネル５０を隙間なく連結できる。
【００５４】
(e)連結具６０が下座金６１の上面に長ナット６３を溶接されるとともに、この長ナット６３に連結ボルト６２が螺着される。これにより、連結具６０を構成する連結ボルト６２の上端ねじ部６２Ｂを上述(d)の枠状金具７０に確実に締結できる。
【００５５】
(f)連結具６０の下座金６１が、建物ユニット３０における床パネル４０の下面材に固定的に取付けられる。床パネル４０の下端部の接合用枠材４４の側から該床パネル４０の上方にまで延在する連結具６０を該床パネル４０にセットするに際し、裏返しにした床パネル４０における接合用枠材４４の上向き面に対して連結具６０の下座金６１を止ねじ６４によって簡易に取付けて固定化でき、その後この床パネル４０の上に壁パネル５０を立設するために該床パネル４０を裏返しの状態から反転させて正立させたとき、連結具６０の下座金６１を床パネル４０の下端部の接合用枠材４４から落下させることなく固定的に維持できる。これにより、連結具６０の下座金６１が床パネル４０の下端部の接合用枠材４４に添設される建物ユニット３０の組立作業性を向上できる。
【００５６】
(g)下部構造体が基礎１０であり、接続具が基礎１０に植設されたアンカーボルト１１であるユニット建物において、該アンカーボルト１１が連結具６０の下座金６１及び建物ユニット３０における床パネル４０の下端部の接合用枠材４４を貫通し、それらの下座金６１及び接合用枠材４４に締結される。
【００５７】
(h)下部構造体が下階建物ユニット３０Ａであり、接続具が下階建物ユニット３０Ａに植設されたジョイントボルト５７であるユニット建物において、該ジョイントボルト５７が上階建物ユニット３０Ｂにおける床パネル４０の下端部の接合用枠材４４を貫通し、それらの下座金６１及び接合用枠材４４に締結される。
【００５８】
（参考例２）（図７〜図１０）
参考例２が参考例１と異なる点は、基礎１０に対する建物ユニット３０の連結構造（図１、図２）において、更に、床パネル４０における接合用枠材４４の上に、アンカーボルト１１が貫通する補強座金８０を添設させたことにある。
【００５９】
アンカーボルト１１は、図７〜図９に示す如く、接合用枠材４４の上に添設された補強座金８０を貫通し、下座金６１及び接合用枠材４４並びに補強座金８０に締結される。そして、補強座金８０の延長部８０Ａが、接合用枠材４４の上面において連結具６０が延出している部分の周辺に被着される。
【００６０】
補強座金８０は、図１０に示す如く、異形板状（長方形状部８１Ａと、長方形状部８１Ａにおける片側の長辺の中央部から側方に張り出た四角状凸部８１Ｂとからなる）をなし、アンカーボルト１１のためのボルト挿通孔８２を長手方向の中央部に備え、連結具６０の連結ボルト６２のためのボルト挿通孔８３を長方形状部８１Ａの一端側（換言すれば補強座金８０の延長部８０Ａ）に備えるとともに、接合用枠材４４に螺着される止ねじ（不図示）のためのねじ孔８４を長方形状部８１Ａの４隅に備える。
【００６１】
補強座金８０は、床パネル４０における接合用枠材４４の上面に添設され、ボルト挿通孔８２を接合用枠材４４のボルト挿通孔４４Ｈに位置合せした状態で、４隅のねじ孔８４に挿通された止ねじで接合用枠材４４に固定的に取付けられる。ここで、補強座金８０の四角状凸部８１Ｂは、接合用枠材４４の上面に添設されるとともに、根太４１に設けた前述の窓状開口４１Ａ内にセットされる。
【００６２】
補強座金８０が上述の如くに組み込まれた床パネル４０に壁パネル５０を連結して建物ユニット３０（３０Ａ、３０Ｂ）を形成する。床パネル４０の下端部の接合用枠材４４の側から該床パネル４０における床面材４３の上方にまで延在する連結具６０における連結ボルト６２の上端ねじ部６２Ｂが、壁パネル５０の内部の枠状金具７０を貫通し、該枠状金具７０にセットしたナット７１に螺着され、床パネル４０と壁パネル５０が連結されるものになる。
【００６３】
そして、建物ユニット３０を基礎１０の上面に設けた基礎スペーサ１２の上に据付けるとき、アンカーボルト１１が連結具６０の下座金６１に備えたボルト挿通孔６１Ｈ、床パネル４０における接合用枠材４４に備えたボルト挿通孔４４Ｈ、接合用枠材４４の上面に添設した補強座金８０のボルト挿通孔８２を貫通し、その貫通端まわりに座金１３がセットされ、ナット１４がその貫通端に螺着される。これにより、アンカーボルト１１が連結具６０の下座金６１及び床パネル４０の下端部の接合用枠材４４並びに補強座金８０に締結されるものになる。補強座金８０は、連結具６０の連結ボルト６２のためのボルト挿通孔８３を備えた延長部８０Ａが、接合用枠材４４の上面において該連結ボルト６２が延出している部分の周辺に被着されるものになる。補強座金８０の板厚は連結具６０の下座金６１より大きな板厚を有し、補強座金８０の曲げ剛性は下座金６１及び接合用枠材４４の曲げ剛性より大きく設定される。
【００６４】
従って、本参考例によれば、参考例１における作用効果に加え、以下の作用効果を奏する。
アンカーボルト１１が、床パネル４０の下端部の接合用枠材４４の上に添設された補強座金８０を貫通し、下座金６１及び接合用枠材４４並びに補強座金８０に締結される。そして、補強座金８０の延長部８０Ａが接合用枠材４４の上面において連結具６０が延出している部分の周辺に被着される。これにより、建物ユニット３０の壁パネルに作用した引き抜き力が連結具６０の下座金６１、及びアンカーボルト１１により基礎１０に伝達され、その引き抜き力に起因してアンカーボルト１１まわりに生ずるモーメントＭ（Ｍ＝連結具６０に働く引抜き力Ｐ×連結具６０とアンカーボルト１１の軸間距離Ｌ）が下座金６１及び接合用枠材４４に曲げ変形を生じさせようとするとき、接合用枠材４４の上に添設された状態でそれらの下座金６１及び接合用枠材４４に締結されている補強座金８０が上記モーメントＭに対抗してそれらの曲げ変形を上から押さえて抑制する。従って、基礎１０に対する建物全体の引抜き耐力を一層向上することができる。
【００６５】
尚、補強座金８０は、下階建物ユニット３０に対する上階建物ユニット３０Ｂの連結構造（図３、図４）においても採用できる。
【００６６】
（実施例１）(図１１〜図１４)
実施例１が参考例２と異なる点は、図１１〜図１３に示す如く、補強座金８０に補強リブ８５を設けたことにある。
【００６７】
補強リブ８５は、図１４に示す如く、門型板状（逆Ｕ字状）をなし、補強座金８０の上面に対して直角をなして起立するように、両側の脚部８５Ａを長方形状部８１Ａにおける片側の長辺の縁上に載せて溶接され、根太４１に設けた前述の窓状開口４１Ａと概ね同一形状をなす切欠状開口８５Ｂを両側の脚部８５Ａの間に備える。補強リブ８５は根太４１の側面に螺着される止ねじ８６のためのねじ孔８５Ｃを全面の複数位置に備える。
【００６８】
補強リブ８５が設けられる補強座金８０は、床パネル４０における接合用枠材４４の上面に前述の如くに添設されるとき、ボルト挿通孔８２を接合用枠材４４のボルト挿通孔４４Ｈに位置合わせするとともに、補強リブ８５の切欠状開口８５Ｂを接合用枠材４４の窓状開口４１Ａに位置合わせした状態で、補強リブ８５のねじ孔８５Ｃに挿通された止ねじで窓状開口４１Ａまわりの根太４１の側面に固定されて取付けらえる。ここで、補強座金８０の四角状凸部８１Ｂは、接合用枠材４４の上面に添設されるとともに、根太４１の窓状開口４１Ａ内にセットされる。
【００６９】
従って、本実施例によれば、参考例１、２における作用効果に加え、以下の作用効果を奏する。
参考例２の補強座金８０に補強リブ８５が設けられる。補強リブ８５が、参考例２で前述したモーメントＭに対抗する補強座金８０の曲げ剛性を高め、補強座金８０による連結具６０の下座金６１及び接合用枠材４４のための曲げ変形抑制能を強化するものになる。
【００７０】
尚、補強リブ８５が設けられた補強座金８０は、下階建物ユニット３０Ａに対する上階建物ユニット３０Ｂの連結構造（図３、図４）においても採用できる。
【００７１】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明において、連結具の下座金が載置される下部構造体の上とは、基礎スペーサ１２又は壁上スペーサ５６に限らず、下部構造体たる基礎１０そのもの、又は下階建物ユニット３０Ａにおける壁パネル５０の上枠５１そのものであっても良い。また、連結具６０の下座金６１は、止ねじ４０のためのねじ孔６１を備えることを必須としない。また、本発明はユニット建物に限らず、広く一般の建物に適用できる。
【産業上の利用可能性】
【００７２】
本発明によれば、ユニット建物において、建物ユニット等の建物構造体を構成する床パネルと壁パネルを隙間なく連結するとともに、建物構造体の床パネルが下部構造体に対して変位することを防止し、更に下部構造体に対する建物全体の引抜き耐力を向上することができる。
【符号の説明】
【００７３】
１０  基礎（下部構造体）
１１  アンカーボルト（接続具）
３０  建物ユニット
３０Ａ  下階建物ユニット
３０Ｂ  上階建物ユニット
４０  床パネル
４４  接合用枠材
５０  壁パネル
５１  上枠
５２  下枠
５３  縦枠
５４  壁枠組
６０  連結具
６１  下座金
６２  連結ボルト
６３  長ナット
６４  止ねじ
７０  枠状金具
７１  ナット
８０  補強座金
８０Ａ  延長部
８５  補強リブ
１００  ユニット建物
【図１】
0006454168.tif 000002
【図２】
0006454168.tif 000003
【図３】
0006454168.tif 000004
【図４】
0006454168.tif 000005
【図５】
0006454168.tif 000006
【図６】
0006454168.tif 000007
【図７】
0006454168.tif 000008
【図８】
0006454168.tif 000009
【図９】
0006454168.tif 000010
【図１０】
0006454168.tif 000011
【図１１】
0006454168.tif 000012
【図１２】
0006454168.tif 000013
【図１３】
0006454168.tif 000014
【図１４】
0006454168.tif 000015